【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
受信デバイスにおけるワイヤレス通信のための方法において、
共用無線周波数スペクトル帯域を通して、第１のワイヤレスローカルエリアネットワーク（ＷＬＡＮ）プロトコルデータユニットの第１の物理層ヘッダを受信することと、前記第１の物理層ヘッダは、少なくとも、第１の基本サービスセット（ＢＳＳ）識別子と第１のデバイス関連識別子（ＡＩＤ）とを含み、
第２のＢＳＳ識別子を、前記第１のＢＳＳ識別子と比較することと、前記第２のＢＳＳ識別子は、前記受信デバイスによって使用されるＢＳＳを識別し、
前記受信デバイスの第２のデバイスＡＩＤを、前記第１のデバイスＡＩＤと比較することと、
前記比較に少なくとも部分的に基づいて、電力節約動作および受信フィルタリング動作からなるグループから選択されたフレーム内動作を実行することとを含む方法。
【請求項２】
前記フレーム内動作は、前記電力節約動作を含み、前記電力節約動作を実行することは、前記第２のＢＳＳ識別子が前記第１のＢＳＳ識別子と合致すること、前記第２のデバイスＡＩＤが前記第１のデバイスＡＩＤと合致しないこととに少なくとも部分的に基づいて、前記第１のＷＬＡＮプロトコルデータユニットの残りに対して、電力節約モードに入ることを含む請求項１記載の方法。
【請求項３】
ブロードキャスト／マルチキャストＡＩＤを、前記第１のデバイスＡＩＤと比較することをさらに含み、
前記第１のＷＬＡＮプロトコルデータユニットの残りに対して、電力節約モードに入ることは、前記ブロードキャスト／マルチキャストＡＩＤが前記第１のデバイスＡＩＤと合致しないことにさらに少なくとも部分的に基づいている請求項２記載の方法。
【請求項４】
前記フレーム内動作は、受信フィルタリング動作を含み、前記受信フィルタリング動作を実行することは、
前記第２のＢＳＳ識別子が前記第１のＢＳＳ識別子と合致することと、前記第２のデバイスＡＩＤが前記第１のデバイスＡＩＤと合致しないこととに少なくとも部分的に基づいて、前記第１のＷＬＡＮプロトコルデータユニットの復号を中止することを含む請求項１記載の方法。
【請求項５】
前記共用無線周波数スペクトル帯域を通して、前記第１のＷＬＡＮプロトコルデータユニットの送信の間で、前記第１のＷＬＡＮプロトコルデータユニットの復号の中止後に、第２のＷＬＡＮプロトコルデータユニットの第２の物理層ヘッダを受信することをさらに含む請求項４記載の方法。
【請求項６】
前記フレーム内動作は、受信フィルタリング動作を含み、方法は、
ブロードキャスト／マルチキャストＡＩＤを、前記第１のデバイスＡＩＤと比較することをさらに含み、前記受信フィルタリング動作を実行することは、
前記第２のＢＳＳ識別子が前記第１のＢＳＳ識別子と合致することと、前記第２のデバイスＡＩＤが前記第１のデバイスＡＩＤと合致しないことと、前記ブロードキャスト／マルチキャストＡＩＤが前記第１のデバイスＡＩＤと合致しないこととに少なくとも部分的に基づいて、前記第１のＷＬＡＮプロトコルデータユニットの復号を中止することを含む請求項１記載の方法。
【請求項７】
前記第１のデバイスＡＩＤは、部分的基本サービスセット識別子（ＢＳＳＩＤ）で排他的ＯＲされた（ＸＯＲされた）前記第１のＷＬＡＮプロトコルデータユニットの意図された局受信機の部分的ＡＩＤを含む請求項１記載の方法。
【請求項８】
前記第１のデバイスＡＩＤは、前記第１のＷＬＡＮプロトコルデータユニットの意図されたアクセスポイント（ＡＰ）受信機の部分的ＢＳＳＩＤを含む請求項１記載の方法。
【請求項９】
前記第１の物理層ヘッダを受信することは、
第１のＷＬＡＮシグナリングフィールドにおいて前記第１のＢＳＳ識別子を受信することと、
第２のＷＬＡＮシグナリングフィールドにおいて前記第１のデバイスＡＩＤを受信することとを含み、
前記第１のＷＬＡＮシグナリングフィールドと前記第２のＷＬＡＮシグナリングフィールドは、別々に符号化される請求項１記載の方法。
【請求項１０】
受信デバイスにおけるワイヤレス通信のための装置において、
共用無線周波数スペクトル帯域を通して、第１のワイヤレスローカルエリアネットワーク（ＷＬＡＮ）プロトコルデータユニットの第１の物理層ヘッダを受信する手段と、前記第１の物理層ヘッダは、少なくとも、第１の基本サービスセット（ＢＳＳ）識別子と第１のデバイス関連識別子（ＡＩＤ）とを含み、
第２のＢＳＳ識別子を、前記第１のＢＳＳ識別子と比較する手段と、前記第２のＢＳＳ識別子は、前記受信デバイスによって使用されるＢＳＳを識別し、
前記受信デバイスの第２のデバイスＡＩＤを、前記第１のデバイスＡＩＤと比較する手段と、
前記比較に少なくとも部分的に基づいて、電力節約動作および受信フィルタリング動作からなるグループから選択されたフレーム内動作を実行する手段とを具備する装置。
【請求項１１】
前記フレーム内動作は、前記電力節約動作を含み、前記電力節約動作を実行する手段は、前記第２のＢＳＳ識別子が前記第１のＢＳＳ識別子と合致することと、前記第２のデバイスＡＩＤが前記第１のデバイスＡＩＤと合致しないこととに少なくとも部分的に基づいて、前記第１のＷＬＡＮプロトコルデータユニットの残りに対して、電力節約モードに入る手段を備える請求項１０記載の装置。
【請求項１２】
ブロードキャスト／マルチキャストＡＩＤを、前記第１のデバイスＡＩＤと比較する手段をさらに具備し、
前記第１のＷＬＡＮプロトコルデータユニットの残りに対して、電力節約モードに入ることは、前記ブロードキャスト／マルチキャストＡＩＤが前記第１のデバイスＡＩＤと合致しないことにさらに少なくとも部分的に基づいている請求項１１記載の装置。
【請求項１３】
前記フレーム内動作は、受信フィルタリング動作を含み、前記受信フィルタリング動作を実行する手段は、
前記第２のＢＳＳ識別子が前記第１のＢＳＳ識別子と合致することと、前記第２のデバイスＡＩＤが前記第１のデバイスＡＩＤと合致しないこととに少なくとも部分的に基づいて、前記第１のＷＬＡＮプロトコルデータユニットの復号を中止する手段を備える請求項１０記載の装置。
【請求項１４】
前記フレーム内動作は、受信フィルタリング動作を含み、前記装置は、
ブロードキャスト／マルチキャストＡＩＤを、前記第１のデバイスＡＩＤと比較する手段をさらに具備し、前記受信フィルタリング動作を実行することは、
前記第２のＢＳＳ識別子が前記第１のＢＳＳ識別子と合致することと、前記第２のデバイスＡＩＤが前記第１のデバイスＡＩＤと合致しないことと、前記ブロードキャスト／マルチキャストＡＩＤが前記第１のデバイスＡＩＤと合致しないこととに少なくとも部分的に基づいて、前記第１のＷＬＡＮプロトコルデータユニットの復号を中止する手段とを備える請求項１１記載の装置。
【請求項１５】
受信デバイスにおけるワイヤレス通信のためのコードを記憶するコンピュータ可読媒体において、前記コードは、コンピュータに、請求項１〜９のうちのいずれか１項記載の方法を実行させるように実施可能な命令を含むコンピュータ可読媒体。
【手続補正２】
【補正対象書類名】明細書
【補正対象項目名】００８６
【補正方法】変更
【補正の内容】
【００８６】
[0096]本開示の先の説明は、本開示を製造または使用することを当業者に可能にさせるために提供されている。本開示に対する様々な変更は、当業者にとって容易に明らかであろう、また、本明細書において定義される一般的な原理は、本開示の範囲または精神から逸脱することなく他の変更に適用され得る。この開示全体を通じて、用語「例」または「例示的」は、例または事例を示し、言及された例についてのいかなる選好も暗示または必要とはしない。このことから、本開示は、本明細書に説明される例および設計に限定されるべきではなく、本明細書に開示された原理および新規の特徴と一致する最も広い範囲が付与されるべきである。
以下に、本願出願の当初の特許請求の範囲に記載された発明を付記する。
［１］  受信デバイスにおけるワイヤレス通信のための方法であって、
共用無線周波数スペクトル帯域を通して、第１のワイヤレスローカルエリアネットワーク（ＷＬＡＮ）プロトコルデータユニットの第１の物理層ヘッダを受信することと、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行することとを備える、方法。
［２］  第２のＢＳＳ識別子を、前記第１のＢＳＳ識別子と比較することと、前記第２のＢＳＳ識別子は、前記受信デバイスによって使用されるＢＳＳを識別しており、
前記受信デバイスの第２のデバイスＡＩＤを、前記第１のデバイスＡＩＤと比較することとをさらに備え、
ここにおいて、前記フレーム内動作が、前記比較に少なくとも部分的に基づいて実行される、［１］に記載の方法。
［３］  前記フレーム内動作は、前記電力節約動作を備え、前記電力節約動作を実行することは、前記第２のＢＳＳ識別子が前記第１のＢＳＳ識別子と合致すること、および前記第２のデバイスＡＩＤが前記第１のデバイスＡＩＤと合致しないことに少なくとも部分的に基づいて、前記第１のＷＬＡＮプロトコルデータユニットの残りに対して、電力節約モードに入ることを備える、［２］に記載の方法。
［４］  ブロードキャスト／マルチキャストＡＩＤを、前記第１のデバイスＡＩＤと比較することをさらに備え、
ここにおいて、前記第１のＷＬＡＮプロトコルデータユニットの前記残りに対して、前記電力節約モードに入ることは、さらに、前記ブロードキャスト／マルチキャストＡＩＤが前記第１のデバイスＡＩＤと合致しないことに、少なくとも部分的に基づく、［３］に記載の方法。
［５］  前記フレーム内動作は、受信フィルタリング動作を備え、前記受信フィルタリング動作を実行することは、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないことに、少なくとも部分的に基づいて、前記第１のＷＬＡＮプロトコルデータユニットの前記復号を中止することとを備える、［２］に記載の方法。
［６］  前記共用無線周波数スペクトル帯域を通して、前記第１のＷＬＡＮプロトコルデータユニットの送信の間、および前記第１のＷＬＡＮプロトコルデータユニットの前記復号の中止後、第２のＷＬＡＮプロトコルデータユニットの第２の物理層ヘッダを受信すること、をさらに備える、［５］に記載の方法。
［７］  前記フレーム内動作は、受信フィルタリング動作を備え、方法は、
ブロードキャスト／マルチキャストＡＩＤを、前記第１のデバイスＡＩＤと比較することをさらに備え、ここにおいて、前記受信フィルタリング動作を実行することは、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないこと、および前記ブロードキャスト／マルチキャストＡＩＤが前記第１のデバイスＡＩＤと合致しないことに、少なくとも部分的に基づいて、前記第１のＷＬＡＮプロトコルデータユニットの前記復号を中止することとを備える、［２］に記載の方法。
［８］  前記第１のデバイスＡＩＤは、部分的基本サービスセット識別子（ＢＳＳＩＤ）で排他的ＯＲされた（ＸＯＲされた）、前記第１のＷＬＡＮプロトコルデータユニットの意図された局受信者の部分的ＡＩＤを備える、［１］に記載の方法。
［９］  前記第１のデバイスＡＩＤは、前記第１のＷＬＡＮプロトコルデータユニットの意図されたアクセスポイント（ＡＰ）受信者の部分的ＢＳＳＩＤを備える、［１］に記載の方法。
［１０］  前記第１の物理層ヘッダを受信することは、
第１のＷＬＡＮシグナリングフィールドにおいて前記第１のＢＳＳ識別子を受信することと、
第２のＷＬＡＮシグナリングフィールドにおいて前記第１のデバイスＡＩＤを受信することと、
ここにおいて、前記第１のＷＬＡＮシグナリングフィールドおよび前記第２のＷＬＡＮシグナリングフィールドは、別々に符号化される、を備える、［１］に記載の方法。
［１１］  受信デバイスにおけるワイヤレス通信のための装置であって、
共用無線周波数スペクトル帯域を通して、第１のワイヤレスローカルエリアネットワーク（ＷＬＡＮ）プロトコルデータユニットの第１の物理層ヘッダを受信するための物理層ヘッダプロセッサと、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行するためのフレーム内動作マネージャとを備える、装置。
［１２］  第２のＢＳＳ識別子を、前記第１のＢＳＳ識別子と比較するためのＢＳＳ識別器と、前記第２のＢＳＳ識別子は、前記受信デバイスによって使用されるＢＳＳを識別しており、
前記受信デバイスの第２のデバイスＡＩＤを、前記第１のデバイスＡＩＤと比較するためのデバイス識別器とをさらに備え、
ここにおいて、前記比較に少なくとも部分的に基づいて、前記フレーム内動作マネージャが、前記フレーム内動作を実行する、［１１］に記載の装置。
［１３］  前記フレーム内動作は、前記電力節約動作を備え、前記第２のＢＳＳ識別子が前記第１のＢＳＳ識別子と合致すること、および前記第２のデバイスＡＩＤが前記第１のデバイスＡＩＤと合致しないことに少なくとも部分的に基づいて、前記第１のＷＬＡＮプロトコルデータユニットの残りに対して、電力節約モードに入ることによって、前記フレーム内動作マネージャは、前記電力節約動作を実行する、［１２］に記載の装置。
［１４］  ブロードキャスト／マルチキャストＡＩＤを、前記第１のデバイスＡＩＤと比較するためのブロードキャスト／マルチキャスト識別器をさらに備え、
ここにおいて、前記ブロードキャスト／マルチキャストＡＩＤが前記第１のデバイスＡＩＤと合致しないことに、少なくとも部分的に基づいて、前記フレーム内動作マネージャは、前記第１のＷＬＡＮプロトコルデータユニットの前記残りに対して、前記電力節約モードに入る、［１３］に記載の装置。
［１５］  前記フレーム内動作は、受信フィルタリング動作を備え、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないことに、少なくとも部分的に基づいて、前記第１のＷＬＡＮプロトコルデータユニットの前記復号を中止することとによって、前記フレーム内動作マネージャは、前記受信フィルタリング動作を実行する、［１２］に記載の装置。
［１６］  前記物理層ヘッダプロセッサは、前記共用無線周波数スペクトル帯域を通して、前記第１のＷＬＡＮプロトコルデータユニットの送信の間、および前記第１のＷＬＡＮプロトコルデータユニットの前記復号の中止後、第２のＷＬＡＮプロトコルデータユニットの第２の物理層ヘッダを受信する、［１５］に記載の装置。
［１７］  前記フレーム内動作は、受信フィルタリング動作を備え、前記装置は、
ブロードキャスト／マルチキャストＡＩＤを、前記第１のデバイスＡＩＤと比較するためのブロードキャスト／マルチキャスト識別器をさらに備え、ここにおいて、
前記第２のＢＳＳ識別子が前記第１のＢＳＳ識別子と合致しないことに、少なくとも部分的に基づいて、前記第１のＷＬＡＮプロトコルデータユニットの復号を中止することと、
前記第２のデバイスＡＩＤが前記第１のデバイスＡＩＤと合致しないこと、および前記ブロードキャスト／マルチキャストＡＩＤが前記第１のデバイスＡＩＤと合致しないことに、少なくとも部分的に基づいて、前記第１のＷＬＡＮプロトコルデータユニットの前記復号を中止することとによって、前記フレーム内動作マネージャは、前記受信フィルタリング動作を実行する、［１２］に記載の装置。
［１８］  前記第１のデバイスＡＩＤは、部分的基本サービスセット識別子（ＢＳＳＩＤ）で排他的ＯＲされた（ＸＯＲされた）、前記第１のＷＬＡＮプロトコルデータユニットの意図された局受信者の部分的ＡＩＤを備える、［１１］に記載の装置。
［１９］  前記第１のデバイスＡＩＤは、前記第１のＷＬＡＮプロトコルデータユニットの意図されたアクセスポイント（ＡＰ）受信者の部分的ＢＳＳＩＤを備える、［１１］に記載の装置。
［２０］  第１のＷＬＡＮシグナリングフィールドにおいて前記第１のＢＳＳ識別子を受信することと、
第２のＷＬＡＮシグナリングフィールドにおいて前記第１のデバイスＡＩＤを受信することと、
ここにおいて、前記第１のＷＬＡＮシグナリングフィールドおよび前記第２のＷＬＡＮシグナリングフィールドは、別々に符号化される、によって、前記物理層ヘッダプロセッサは、前記第１の物理層ヘッダを受信する、［１１］に記載の装置。
［２１］  受信デバイスにおけるワイヤレス通信のための装置であって、
共用無線周波数スペクトル帯域を通して、第１のワイヤレスローカルエリアネットワーク（ＷＬＡＮ）プロトコルデータユニットの第１の物理層ヘッダを受信するための手段と、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行するための手段とを備える、装置。
［２２］  第２のＢＳＳ識別子を、前記第１のＢＳＳ識別子と比較するための手段と、前記第２のＢＳＳ識別子は、前記受信デバイスによって使用されるＢＳＳを識別しており、
前記受信デバイスの第２のデバイスＡＩＤを、前記第１のデバイスＡＩＤと比較するための手段とをさらに備え、
ここにおいて、前記フレーム内動作が、前記比較に少なくとも部分的に基づいて実行される、［２１］に記載の装置。
［２３］  前記フレーム内動作は、前記電力節約動作を備え、前記電力節約動作を実行するための手段は、前記第２のＢＳＳ識別子が前記第１のＢＳＳ識別子と合致すること、および前記第２のデバイスＡＩＤが前記第１のデバイスＡＩＤと合致しないことに少なくとも部分的に基づいて、前記第１のＷＬＡＮプロトコルデータユニットの残りに対して、電力節約モードに入るための手段を備える、［２２］に記載の装置。
［２４］  ブロードキャスト／マルチキャストＡＩＤを、前記第１のデバイスＡＩＤと比較するための手段をさらに備え、
ここにおいて、前記第１のＷＬＡＮプロトコルデータユニットの前記残りに対して、前記電力節約モードに入ることは、さらに、前記ブロードキャスト／マルチキャストＡＩＤが前記第１のデバイスＡＩＤと合致しないことに、少なくとも部分的に基づく、［２３］に記載の装置。
［２５］  前記フレーム内動作は、受信フィルタリング動作を備え、前記受信フィルタリング動作を実行するための手段は、
前記第２のＢＳＳ識別子が前記第１のＢＳＳ識別子と合致しないことに、少なくとも部分的に基づいて、前記第１のＷＬＡＮプロトコルデータユニットの復号を中止するための手段と、
前記第２のデバイスＡＩＤが前記第１のデバイスＡＩＤと合致しないことに、少なくとも部分的に基づいて、前記第１のＷＬＡＮプロトコルデータユニットの前記復号を中止するための手段とを備える、［２２］に記載の装置。
［２６］  前記フレーム内動作は、受信フィルタリング動作を備え、前記装置は、
ブロードキャスト／マルチキャストＡＩＤを、前記第１のデバイスＡＩＤと比較するための手段をさらに備え、ここにおいて、前記受信フィルタリング動作を実行することは、
前記第２のＢＳＳ識別子が前記第１のＢＳＳ識別子と合致しないことに、少なくとも部分的に基づいて、前記第１のＷＬＡＮプロトコルデータユニットの復号を中止するための手段と、
前記第２のデバイスＡＩＤが前記第１のデバイスＡＩＤと合致しないこと、および前記ブロードキャスト／マルチキャストＡＩＤが前記第１のデバイスＡＩＤと合致しないことに、少なくとも部分的に基づいて、前記第１のＷＬＡＮプロトコルデータユニットの前記復号を中止するための手段とを備える、［２２］に記載の装置。
［２７］  前記第１のデバイスＡＩＤは、部分的基本サービスセット識別子（ＢＳＳＩＤ）で排他的ＯＲされた（ＸＯＲされた）前記第１のＷＬＡＮプロトコルデータユニットの意図された局受信者の部分的ＡＩＤを備える、［２１］に記載の装置。
［２８］  前記第１のデバイスＡＩＤは、前記第１のＷＬＡＮプロトコルデータユニットの意図されたアクセスポイント（ＡＰ）受信者の部分的ＢＳＳＩＤを備える、［２１］に記載の装置。
［２９］  受信デバイスにおいて、ワイヤレス通信のためのコードを記憶する非一時的コンピュータ可読媒体であって、前記コードは、前記受信デバイスに、
共用無線周波数スペクトル帯域を通して、第１のワイヤレスローカルエリアネットワーク（ＷＬＡＮ）プロトコルデータユニットの第１の物理層ヘッダを受信させ、前記第１の物理層ヘッダは、少なくとも、第１の基本サービスセット（ＢＳＳ）識別子および第１のデバイス関連識別子（ＡＩＤ）を備え、
前記第１のＢＳＳ識別子および前記第１のデバイスＡＩＤに少なくとも部分的に基づいて、電力節約動作および受信フィルタリング動作から成るグループより選択されたフレーム内動作を実行させるように実施可能な命令を備える、非一時的コンピュータ可読媒体。
［３０］  非一時的コンピュータ可読媒体であって、前記コードは、前記受信デバイスに、
第２のＢＳＳ識別子を、前記第１のＢＳＳ識別子と比較させ、前記第２のＢＳＳ識別子は、前記受信デバイスによって使用されるＢＳＳを識別しており、
前記受信デバイスの第２のデバイスＡＩＤを、前記第１のデバイスＡＩＤと比較させるように実施可能な命令をさらに備え、
ここにおいて、前記フレーム内動作が、前記比較に少なくとも部分的に基づいて実行される、［２９］に記載の非一時的コンピュータ可読媒体。